(57)【要約】【課題】掃除の際に誤動作させる心配がなく、かつ簡単に掃除ができるごますり器を提供することを目的とする。【解決手段】ごまを収納するケースと、ごまを粉砕する一対の臼と、前記一対の臼の少なくとも一方の臼を回転させるモータと、前記モータの電源となる電池と、前記臼、モータ、電池を収納する本体ケースと、前記本体ケースに着脱可能に取り付けられる電池蓋と、前記本体ケース下部に配設され前記粉砕されたごまを排出する排出口と、前記一対の臼と前記排出口をつなぐ排出通路と、本体ケースに着脱可能に保持され前記排出通路を保護する通路カバーとからなり、前記通路カバーは前記電池蓋を外した後で取り外し可能な構成とする。【選択図】図１
2008168030.tif 000002
【特許請求の範囲】
【請求項１】
ごまを収納するケースと、
ごまを粉砕する一対の臼と、
前記一対の臼の少なくとも一方の臼を回転させるモータと、
前記モータの電源となる電池と、前記臼、モータ、電池を収納する本体ケースと、
前記本体ケースに着脱可能に取り付けられる電池蓋と、
前記本体ケース下部に配設され前記粉砕されたごまを排出する排出口と、
前記一対の臼と前記排出口をつなぐ排出通路と、
本体ケースに着脱可能に保持され前記排出通路を保護する通路カバーとからなり、前記通路カバーは前記電池蓋を外した後で取り外し可能な構成を有するごますり器。
【発明の詳細な説明】
【技術分野】
【０００１】
本発明は、掃除性能を向上させるとともに、より安全性を高めたごますり器に関するものである。
【背景技術】
【０００２】
従来のごますり器の例を図３の断面図、図４の斜視図を用いて説明を行う。上臼３０１と回転臼３０２で粉砕されたごまを本体ケース３０３の外へ導く排出通路３０４は本体ケース３０３から取り外すことができないため、付属品のブラシ等を用いて排出通路３０４やその周辺の掃除を行っていた。しかし、電池が収納されたままなので、掃除中に誤ってスイッチボタン３０５を押した場合、電気的に接続状態になる（例えば特許文献１参照）。
【特許文献１】登録実用新案第３０１９３００号公報
【発明の開示】
【発明が解決しようとする課題】
【０００３】
しかしながら、前記従来のごますり器では基本機能であるごまを粉砕するのに不必要なブラシが、掃除の際には必要になり、商品価格を上昇させるだけでなく使い勝手の悪いものであった。また、ブラシを使用しての掃除中に、誤ってスイッチボタン３０５を押してしまった場合は電気的に接続状態になり、回転臼３０２は回転しようとしてもブラシ等に遮られ前記回転臼３０２は回転できず、その結果としてモータ３０６がロック状態となってしまい、本体の破損やブラシの破壊、あるいは手への過度な衝撃など作業者に不安感を与えるだけでなく危険な状態になりかねなかった。また、ブラシの使用をなくすために排出通路３０４を広くして指が入るようにした場合、ブラシは不要となるものの、掃除中に誤ってスイッチボタン３０５を押すと通電状態になり、回転臼３０２で怪我をする恐れが生じるという課題を有していた。
【課題を解決するための手段】
【０００４】
前記従来の課題を解決するために、本発明のごますり器は、ごまを収納するケースと、ごまを粉砕する一対の臼と、前記一対の臼の少なくとも一方の臼を回転させるモータと、前記モータの電源となる電池と、前記臼、モータ、電池を収納する本体ケースと、前記本体ケースに着脱可能に取り付けられる電池蓋と、前記本体ケース下部に配設され粉砕されたごまを排出する排出口と、前記一対の臼と前記排出口をつなぐ排出通路と、本体ケースに着脱可能に保持され前記排出通路を保護する通路カバーとからなり、前記通路カバーは前記電池蓋を外した後で取り外し可能に構成するものである。
【０００５】
本発明の構成により、前記通路カバーは前記電池蓋を外した後でのみ取り外すことができるので、排出通路を掃除する際は、必ず電池が本体外にあり、掃除のために回転臼に指が触れている状態で誤ってスイッチを押しても怪我をする心配がない。さらに通路カバーをはずすことにより指が排出通路すべてに触れることができるので、ブラシを用いることなく簡単に掃除ができる。
【発明の効果】
【０００６】
以上のように本発明によると、電池の抜け止めをしている電池蓋を外すことにより通路カバーが外れるので、電池が本体から外れ、電源が供給されない状態での掃除となるため誤動作させる心配がなく、かつ簡単に掃除ができるごますり器を得ることができる。
【発明を実施するための最良の形態】
【０００７】
以下、本発明を実施するための最良の形態について、図面を用いて詳細に説明する。
【０００８】
（実施の形態１）
図１（ａ）は本発明の実施の形態１におけるごますり器の縦断面図、図１（ｂ）は同実施の形態１におけるごますり器の横断面図で、図２は同実施の形態１におけるごますり器の正面図である。図１、図２において、ケース１０１はごまの収納部であり、前記ケース１０１の下方には上臼１０２が固定されている。そして前記ケース１０１の底部と前記上臼１０２には貫通穴１１５が複数個開いている。また、前記上臼１０２の下方に一定の隙間を持たせて回転臼１０３が配設されている。前記回転臼１０３は、本体ケース１０５の臼室１０４内にあり、前記本体ケース１０５内には、前記回転臼１０３を回転させるためのモータ１０６と前記モータ１０６を回転させるための電源としての電池１０７と、前記モータ１０６と前記電池１０７を導通させるスイッチボタン１０８とを有しており、前記スイッチボタン１０８は押している間のみ導通するように構成されている。また、前記本体ケース１０５の底には着脱自在の電池蓋１０９を設けている。前記電池蓋１０９には前記電池１０７同士を導通させるための電池ばね１１０が配設されている。また、前記臼室１０４の底の一部には切り欠き穴１１１が設けられており、前記本体ケース１０５の一部で形成された排出通路１１２につながっている。また、前記排出通路１１２には、通路カバー１１３が上下にスライドさることにより着脱可能な構成としている。前記通路カバー１１３には前記本体ケース１０５の下端まで延びる爪部１１４があり、前記電池蓋１０９はセット状態では前記爪部１１４を覆うように配置されている。
【０００９】
同図を用いて、本実施の形態１の作用について説明する。ケース１０１に収納されたごまは、貫通穴１１５を通過して上臼１０２と回転臼１０３の隙間に落下する。ここで、スイッチボタン１０８を押すと電池１０７とモータ１０６が導通して前記モータ１０６が回転する。それに伴い、前記回転臼１０３が回転し、前記固定の上臼１０２との間でごまが粉砕されて臼室１０４に落ちて、さらに切り欠き穴１１１を抜けて排出通路１１２を通過し、本体ケース１０５の下端から外へ排出される。ここで、スイッチボタン１０８を押し続けると、前記回転臼１０３の上のごまが粉砕されて前記回転臼１０３の遠心力で排出されると、次々に前記ケース１０１の前記貫通穴１１５から新しいごまが前記上臼１０２と前記回転臼１０３の間に供給されるしくみとなっている。ここで、ごまを粉砕し続けると、前記臼室１０４から前記切り欠き穴１１１を通じて排出通路１１２までが次第に粉砕したごまの残りかすで汚れてくる。掃除をせずに放置しておくとごまの油が酸化してくるため、不衛生である。
【００１０】
前記切り欠き穴１１１及び前記排出通路１１２の掃除方法は、まず前記電池蓋１０９を外し、前記通路カバー１１３の爪部１１４の覆いを取り除いた後、前記通路カバー１１３を下方にスライドさせて前記通路カバー１１３を本体ケース１０５から取り外す。前記通路カバー１１３を取り外すと、前記排出通路１１２から前記臼室１０４に設けられた前記切り欠き穴１１１までが開放されるため、ティッシュペーパーなどを指に巻きつけて簡単に掃除することができる。また、その際に誤って前記スイッチボタン１０８を押しても、前記電池１０７の導通がないので、前記モータ１０６が回転する心配はない。
【００１１】
以上のように本考案によれば、前記回転臼１０３の近傍から排出通路１１２を掃除する際は必ず、電池が導通しない状態であり、安全に掃除できるだけでなく、ブラシなどの余計な付属品なしに簡単に掃除ができる。
【産業上の利用可能性】
【００１２】
本発明にかかるごますり器はブラシなどの補助具を用いることなく掃除できるだけでなく、掃除中の誤操作により回転部が作動することがないので、ごますり器に限らず岩塩、胡椒などのひき器等の特に電池を使用する回転刃物を有する機器に対して有用である。
【図面の簡単な説明】
【００１３】
【図１】（ａ）本発明の実施の形態１におけるごますり器の縦断面図、（ｂ）同実施の形態１におけるごますり器の横断面図
【図２】同実施の形態１におけるごますり器の正面図
【図３】従来のごますり器の断面図
【図４】同ごますり器の斜視図
【符号の説明】
【００１４】
１０１          ケース
１０２、３０１  上臼
１０３、３０２  回転臼
１０４          臼室
１０５、３０３  本体ケース
１０６、３０６  モータ
１０７          電池
１０８、３０５  スイッチボタン
１０９          電池蓋
１１０          電池ばね
１１１          切り欠き穴
１１２、３０４  排出通路
１１３          通路カバー
１１４          爪部
１１５          貫通穴
【図１】
2008168030.tif 000003
【図２】
2008168030.tif 000004
【図３】
2008168030.tif 000005
【図４】
2008168030.tif 000006